(57)【要約】      （修正有）【課題】揺動による抜け落ちがないワイパーのシーソー式組付装置を提供する。【解決手段】ワイパーのシーソー式組付装置は、ワイパー本体９００と揺動アーム８００の間に組み付けられ、ワイパー固定ベース１、結合ベース２及び制御部材３を含む。ワイパー固定ベースは、ワイパー本体に固定されるとともに、ロッド体と係合部１２を有する。結合ベースは、ワイパー固定ベースに組み付けられるとともに、ロッド溝を有する。ロッド溝にはロッド体が収容される。結合ベースは、ロッド体を支点としてワイパー固定ベースに対しシーソー式に揺動する。また、揺動アームが結合ベースに組み付けられる。制御部材は、結合ベースに組み付けられて結合ベースとともに揺動可能であり、係合体３１を有する。制御部材は、結合ベースとともに揺動することで、係合体を係合部に係合するか係合部から離脱させる。【選択図】図６
0003227051.tif 000002
【実用新案登録請求の範囲】
【請求項１】
ワイパー本体と揺動アームの間に組み付けられるワイパーのシーソー式組付装置であって、
前記ワイパー本体に固定されるとともに、ロッド体と係合部を有するワイパー固定ベース、
前記ワイパー固定ベースに組み付けられるとともに、ロッド溝を有し、前記ロッド溝に前記ロッド体が収容され、前記ロッド体を支点として前記ワイパー固定ベースに対しシーソー式に揺動し、前記揺動アームが組み付けられる結合ベース、及び
前記結合ベースに組み付けられて前記結合ベースとともに揺動可能であり、且つ係合体を有する制御部材、を含み、
前記制御部材は、前記結合ベースとともに揺動することで、前記係合体を前記係合部に対し選択的に係合及び離脱させる組付装置。
【請求項２】
前記結合ベースには複数の位置規制溝が設けられており、前記揺動アームの複数の突起が一方向に移動して各前記位置規制溝にそれぞれ位置規制され、前記制御部材は、更に前記結合ベースに対し移動して、前記一方向とは反対の他の方向において揺動アームに当止可能である請求項１に記載のワイパーのシーソー式組付装置。
【請求項３】
前記位置規制溝は、湾曲状に互いに接続される縦部及び横部を含み、前記突起は前記縦部から前記位置規制溝に進入し、前記突起は前記横部に位置規制される請求項２に記載のワイパーのシーソー式組付装置。
【請求項４】
前記結合ベースには抜け止め部が設けられており、前記制御部材には抜け止め弾性アームが設けられており、前記抜け止め弾性アームは前記抜け止め部に逆方向に係合する請求項２に記載のワイパーのシーソー式組付装置。
【請求項５】
前記結合ベースにはスライド溝が設けられており、前記制御部材は前記スライド溝に摺接し、前記制御部材は前記スライド溝に案内されて前記結合ベースに対し移動する請求項２に記載のワイパーのシーソー式組付装置。
【請求項６】
前記制御部材には更に柱体が接続されており、前記柱体は前記スライド溝の外側に露出して前記揺動アームに当止する請求項５に記載のワイパーのシーソー式組付装置。
【請求項７】
前記結合ベースには更に溝が設けられており、前記溝は前記スライド溝と連通しており、前記係合体は、前記制御部材が前記結合ベースに対し移動することで前記溝内において移動する請求項５に記載のワイパーのシーソー式組付装置。
【請求項８】
前記係合部は開口が上方を向く縦方向の凹溝であり、前記係合体は、前記係合部に係合するか前記係合部から離脱する請求項１に記載のワイパーのシーソー式組付装置。
【考案の詳細な説明】
【技術分野】
【０００１】
本考案はワイパーの着脱に関し、特に、ワイパーのシーソー式組付装置に関する。
【背景技術】
【０００２】
ワイパーは、水を拭き取りたい物体（例えば車のガラス）の表面にゴム製のワイパー本体を密着させ、揺動アームの揺動動作に伴って水を拭き取るものである。
【０００３】
しかし、従来はワイパーの組み付け時に、縦方向に組み付ける第１の動作と、横方向に平行移動させて位置決めする第２の動作しか存在しなかった。そのため、水を拭き取りたい物体の表面にワイパー本体が密着した通常状態であっても、容易に抜け落ちるとの問題が生じていた。これは、当該通常状態において、揺動アームが横方向に平行移動可能な状況で揺動アームの位置決めが解除された場合、揺動アームが前記横方向に平行移動することで抜け落ちが生じるからである。つまり、横方向の平行移動を位置決めする位置決め部材が故障すると、ワイパーが使用過程で容易に抜け落ちて吹き飛ばされてしまう。この点については、早くから批判の対象となっていた。
【考案の概要】
【考案が解決しようとする課題】
【０００４】
本考は、シーソー式の揺動を必須として係合固定又は係合からの離脱を可能とすることで、従来のワイパーにおける抜け落ちやすいとの課題を解決するワイパーのシーソー式組付装置を提供することを目的とする。
【課題を解決するための手段】
【０００５】
上記の目的を達成するために、本考案は、ワイパー本体と揺動アームの間に組み付けられるワイパーのシーソー式組付装置を提供する。当該組付装置は、前記ワイパー本体に固定されるとともに、ロッド体と係合部を有するワイパー固定ベースと、当該ワイパー固定ベースに組み付けられるとともに、ロッド溝を有し、当該ロッド溝に当該ロッド体が収容され、当該ロッド体を支点として当該ワイパー固定ベースに対しシーソー式に揺動し、前記揺動アームが組み付けられる結合ベースと、当該結合ベースに組み付けられて当該結合ベースとともに揺動可能であり、且つ係合体を有する制御部材、を含む。  当該制御部材は、当該結合ベースとともに揺動することで、当該係合体を当該係合部に対し選択的に係合及び離脱させる。
【考案の効果】
【０００６】
従来技術と比較して、本考案は以下の効果を有する。即ち、通常状態において、ワイパー本体は水を拭き取りたい物体の表面に密着し、結合ベースが真っ直ぐに戻った状態を維持するよう位置規制する。そのため、この状況では揺動による解体が絶対に不可能であり、従来のワイパーにおける抜け落ちやすいとの課題が解決される。
【図面の簡単な説明】
【０００７】
【図１】図１は、本考案の組付装置における結合ベースと制御部材の分解斜視図である。
【図２】図２は、本考案の組付装置をワイパー本体に組み付ける前の分解斜視図である。
【図３】図３は、本考案の図２に基づく断面図である。
【図４】図４は、本考案の組付装置をワイパー本体に組み付けたあとの断面図である。
【図５】図５は、本考案の組付装置に揺動アームを組み付ける前の分解斜視図である。
【図６】図６は、本考案の図５に基づく断面図である。
【図７Ａ】図７Ａは、本考案の組付装置に縦方向に揺動アームが覆接されたあとの断面図である。
【図７Ｂ】図７Ｂは、本考案の組付装置に縦方向に揺動アームが覆接されたあとの断面図である。
【図８Ａ】図８Ａは、本考案の組付装置が横方向に揺動アームと制御部材を摺動させたあとの断面図である。
【図８Ｂ】図８Ｂは、本考案の組付装置が横方向に揺動アームと制御部材を摺動させたあとの断面図である。
【図９Ａ】図９Ａは、本考案の組付装置がシーソー式の揺動により係合を完了した場合の断面図である。
【図９Ｂ】図９Ｂは、本考案の組付装置がシーソー式の揺動により係合を完了した場合の断面図である。
【考案を実施するための形態】
【０００８】
図１〜図６に示すように、本考案は、揺動アーム８００とワイパー本体９００の間に着脱可能に組み付けられて、揺動アーム８００によりワイパー本体９００を円滑に動作可能とするワイパーのシーソー式組付装置を提供する。本考案におけるワイパーのシーソー式組付装置（以下、組付装置１００と略称）は、ワイパー固定ベース１、結合ベース２及び制御部材３を含む。なお、組み付けを完了したワイパー本体９００は水を拭き取りたい物体（図示しない。例えば車のガラス）の表面に密着するため、組み付け後のワイパー本体９００は水を拭き取りたい物体に対し平行となる。
【０００９】
ワイパー固定ベース１は、図２に示すように、ワイパー本体９００に固定される。ワイパー固定ベース１にはロッド体１１が横方向に架け渡されており、且つ、少なくとも１つの係合部１２が開設されている。なお、本実施例では、係合部１２が２つ開設されている。
【００１０】
結合ベース２は、図１〜図４に示すように、着脱可能にワイパー固定ベース１に組み付けられる。本考案では結合ベース２の構造を限定しないが、本実施例では、結合ベース２が、四方を取り囲む２つの端面板２０１、２つの側板２０２、１つの底板２０３及び１つの天板（部材の符号を図示しない）を含めばよい。また、結合ベース２には、底板２０３から天板の方向に向かってロッド溝２１が開設されている。且つ、結合ベース２は、一方の端面板２０１から他方の端面板（部材の符号を図示しない）の方向に向かってスライド溝２２が開設されている。前記ロッド体１１がロッド溝２１に収容されることで、結合ベース２はロッド体１１を支点としてワイパー固定ベース１に対しシーソー式に揺動可能となる。前記シーソー式の揺動は、順方向の揺動と逆方向の揺動を含む。
【００１１】
好ましくは、図１に示すように、結合ベース２は、端面板２０１にスライド溝２２を開設し、２つの側板２０２に溝２３を１つずつ開設し、底板２０３に抜け止め部２４を開設してもよい。スライド溝２２は、端面板２０１から他方の端面板の方向に向かって開設される。溝２３はスライド溝２２と連通し、溝２３の溝口は端面板２０１に位置している。また、溝２３は端面板２０１から他方の端面板の方向に向かって延伸し、且つ延伸の末端に溝２３の溝基端が形成されている。
【００１２】
制御部材３は、図１〜図４に示すように、結合ベース２に組み付けられることで、結合ベース２とともに揺動可能となる。好ましくは、制御部材３はスライド溝２２内に摺接可能である。摺動過程において、制御部材３はスライド溝２２に案内されて結合ベース２に対し線形に移動する。本考案では制御部材３の構造を限定しないが、本実施例において、制御部材３は少なくとも１つの係合体３１を有するだけでなく（本実施例では２つの係合体３１を有する）、抜け止め弾性アーム３２が更に設けられ、且つ柱体３３が交差状に接続されている。抜け止め弾性アーム３２は抜け止め体３２１を有し、柱体３３は被制御部３３１を有する。且つ、柱体３３はスライド溝２２の外側に露出する。２つの係合体３１は２つの溝２３から結合ベース２の外側にそれぞれ露出して、当該露出部分が係合部１２に係合する。
【００１３】
制御部材３が結合ベース２から容易に抜け落ちることのないよう、制御部材３をスライド溝２２に挿接する初期において、図３に示すように、抜け止め弾性アーム３２の抜け止め体３２１を抜け止め部２４に逆方向に係合する。これにより、制御部材３が容易にスライド溝２２から逆方向に離脱して抜け落ちるとの事態を防止可能となる。
【００１４】
なお、係合部１２は開口が上方を向く縦方向の凹溝である。且つ、結合ベース２と制御部材３がともにワイパー固定ベース１に対し平行となった状態では、図９Ａに示すように、係合体３１と係合部１２は略同じ高さである。そのため、まず係合体３１をシーソー式に逆方向に揺動させて係合部１２の開口の斜め上方まで移動させる必要がある（図６参照）。そして、制御部材３を線形に摺動させることで係合体３１を係合部１２の開口の真上まで移動させてから（図８Ａ参照）、最後に逆方向から順方向に揺動させることで係合体３１を係合部１２に係合させる。
【００１５】
上記について、前記制御部材３の線形の摺動に伴って、揺動アーム８００も同時に固定可能とすることが好ましい。そこで、結合ベース２と揺動アーム８００には、次の３段落で詳述するような構造を追加する必要がある。
【００１６】
図１及び図６に示すように、結合ベース２は、２つの側板２０２の外壁に位置規制溝２５が２つずつ設けられればよい。位置規制溝２５は、湾曲状に互いに接続される縦部２５１と横部２５２を含む。
【００１７】
図５及び図６に示すように、揺動アーム８００の底面には、上方に向かって収容空間８４と可動スペース８５が開設されており、これらの空間が被当接部８２により分断されている。且つ、揺動アーム８００の収容空間８４に対応する位置の内壁には、更に複数の突起８１が備わっている。また、揺動アーム８００の天井面のうち可動スペース８５に対応する位置には、更に開口８３が開設されている。
【００１８】
こうすることで、図６、図７Ａ及び図７Ｂに示すように、揺動アーム８００は、収容空間８４が縦方向に結合ベース２に覆接され（収容空間８４の横方向の距離は結合ベース２の横方向の長さよりも大きい）、揺動アーム８００の各突起８１が順に各位置規制溝２５の縦部２５１に進入する。このとき、制御部材３の柱体３３はまだ被当接部８２に当止していない。次に、図８Ａ及び図８Ｂに示すように、まず揺動アーム８００を結合ベース２に対し横方向（左方向）に平行移動させるよう操作し、各突起８１を順に各横部２５２に進入させることで、縦方向において横部２５２により各突起８１を位置規制する。この位置規制によって、各突起８１は一方向に横（右方向）にのみ移動可能となり、縦方向には移動不可能となる。そして、制御部材３を結合ベース２に対し摺動させるよう操作し、柱体３３を可動スペース８５内で動作させることで揺動アーム８００の被当接部８２に当止させる。即ち、柱体３３は、揺動アーム８００の右向きの移動方向において被当接部８２に当止することで、揺動アーム８００を安定的に本考案の組付装置１００に固定する。
【００１９】
図示しないその他の実施例において、本考案は線形に摺動させる設計を省略してもよく、上述した２つの方向への揺動によってワイパー本体９００を揺動アーム８００に着脱できればよい。一例を挙げると、係合体３１の係入後に逆方向の離脱を困難とする規制構造を係合部１２に設け、規制に抗するような外力を加えなければ係合体３１を離脱不可能とすればよい。
【００２０】
以下に、本考案の各操作及び動作について更に詳述する。
【００２１】
図４及び図６に示すように、組み付け時には、まず結合ベース２を逆向きに揺動させて傾斜状となるよう操作し、係合体３１を図６に示すように係合部１２の斜め上方に移動させる。次に、図７Ａ及び図７Ｂに示すように、揺動アーム８００を結合ベース２に覆接し、突起８１を縦部２５１に進入させる。且つ、柱体３３の被制御部３３１が開口８３を通じて揺動アーム８００から露出又は突出する。そして、図８Ａ及び図８Ｂに示すように、揺動アーム８００を結合ベース２に対し左へと平行移動させるよう操作するとともに、（被制御部３３１を押動することで）制御部材３を結合ベース２に対し左へと摺動させるよう操作する。これにより、突起８１が横部２５２に進入して位置規制される。且つ、制御部材３については、柱体３が揺動アーム８００の右への平行移動方向において当止可能になるとともに、係合体３１が係合部１２の真上まで移動可能となる。最後に、図９Ａ及び図９Ｂに示すように、結合ベース２を順方向に揺動させて真っ直ぐに戻す（即ち、結合ベース２と制御部材３がともにワイパー固定ベース１に対し平行となるよう戻す）だけで、係合体３１を下方に移動させて係合部１２に係合することが可能となる。また、これにより、水を拭き取りたい物体（図示しない）に対しワイパー本体９００が平行となる。換言すれば、通常状態において、ワイパー本体９００は水を拭き取りたい物体の表面に密着し、水を拭き取りたい物体に対し平行な状態に位置規制及び維持される。また、これにより、結合ベース２は当該真っ直ぐに戻った状態に位置規制及び維持されるため、この状況での解体は絶対に不可能である。ただし、揺動アーム８００を故意に操作して、水を拭き取りたい物体からワイパー本体９００を離間させてから、結合ベース２を逆向きに揺動させるよう操作して図８Ａに示すような傾斜状とすれば、係合体３１を順に係合部１２から離脱させて、続く解体動作を実行可能となる。
【００２２】
反対に、解体したい場合には、上記と逆の操作を行えばよい。
【００２３】
以上述べたように、本考案のワイパーのシーソー式組付装置によれば、所期の使用目的を確実に達成可能であり、従来技術の欠点が解決される。よって、実用新案の出願要件を満たしており、特許法に従って出願する。詳細な審査のうえ本考案をご許可いただき、考案者の権利を保障してくださるようお願い申し上げる。
【００２４】
以上は本考案の好ましい実行可能な実施例にすぎず、本考案の登録請求の範囲を限定するものではない。本考案の明細書及び図面の内容を運用して実施される構造の等価の変形は、いずれも本考案の権利範囲に含まれるものとする。
【符号の説明】
【００２５】
１００  組付装置
１      ワイパー固定ベース
１１    ロッド体
１２    係合部
２      結合ベース
２０１  端面板
２０２  側板
２０３  底板
２１    ロッド溝
２２    スライド溝
２３    溝
２４    抜け止め部
２５    位置規制溝
２５１  縦部
２５２  横部
３      制御部材
３１    係合体
３２    抜け止め弾性アーム
３２１  抜け止め体
３３    柱体
３３１  被制御部
８００  揺動アーム
８１    突起
８２    被当接部
８３    開口
８４    収容空間
８５    可動スペース
９００  ワイパー本体
【図１】
0003227051.tif 000003
【図２】
0003227051.tif 000004
【図３】
0003227051.tif 000005
【図４】
0003227051.tif 000006
【図５】
0003227051.tif 000007
【図６】
0003227051.tif 000008
【図７Ａ】
0003227051.tif 000009
【図７Ｂ】
0003227051.tif 000010
【図８Ａ】
0003227051.tif 000011
【図８Ｂ】
0003227051.tif 000012
【図９Ａ】
0003227051.tif 000013
【図９Ｂ】
0003227051.tif 000014